(57)【要約】【課題】住宅やオフィス等の建物で使用される熱交換型換気機器において、不必要な除霜動作を行わずに換気の連続性と機器の省エネ性を向上させることを目的とする。【解決手段】熱交換型換気機器１は、給気ファン２と排気ファン６と熱交換素子１０と外気温度センサー１１とマイコン１３を備え、マイコン１３は外気温度センサー１１が検知した外気温度に基づいて自然換気量を算出し、必要換気量から自然換気量を減じた換気量となるように給気ファン２と排気ファン６の回転数を制御する熱交換型換気機器において、排気風量センサー１２を備え、マイコン１３は排気風量センサー１２の検知した排気風量が必要換気量から自然換気量を減じた換気量に満たない場合に除霜のための動作を行うという構成にしたことにより、不必要な除霜動作を行わずに換気の連続性と機器の省エネ性を向上させることができる。【選択図】図１
2013185714.tif 000002
【特許請求の範囲】
【請求項１】
室外から室内に給気するための給気手段と、室内から室外に排気するための排気手段と、給気空気と排気空気の間で熱を交換するための熱交換素子と、外気の温度を検知する外気温度検知手段と、前記外気温度検知手段の検知結果を受けて前記給気手段と前記排気手段を制御する制御手段を備え、前記制御手段は前記外気温度検知手段が検知した外気温度と室内温度との差に基づいて自然換気量を算出し、必要換気量から自然換気量を減じた換気量となるように前記給気手段と前記排気手段を制御する熱交換型換気機器において、排気風量を検知する排気風量検知手段を備え、前記制御手段は前記排気風量検知手段の検知結果を受けて、排気風量が必要換気量から自然換気量を減じた換気量に満たない場合に除霜のための動作を行う熱交換型換気機器。
【請求項２】
前記室内温度を予め設定した温度とする請求項１に記載の熱交換型換気機器。
【請求項３】
前記制御手段は、除霜のための動作を行った直後に、前記排気風量検知手段が検知した排気風量が必要換気量から自然換気量を減じた換気量に満たない場合、異常を知らせる請求項１または２に記載の熱交換型換気機器。
【請求項４】
前記制御手段は、前記外気温度検知手段が検知した外気温度が一定値以上であり、かつ前記排気風量検知手段が検知した排気風量が必要換気量から自然換気量を減じた換気量に満たない場合、異常を知らせる請求項１から３のいずれか一項に記載の熱交換型換気機器。
【請求項５】
前記制御手段が算出した自然換気量が必要換気量以上であった場合に、換気を停止する請求項１から４のいずれか一項に記載の熱交換型換気機器。
【発明の詳細な説明】
【技術分野】
【０００１】
本発明は、住宅やオフィス等の建物で使用される熱交換型換気機器に関するものである。
【背景技術】
【０００２】
近年、地球温暖化にともなって居住分野の省エネが重視されるようになってきた。住宅の消費エネルギーの中では給湯、照明、空調で消費されるエネルギーが比較的大きいため、これらの消費エネルギーを低減する技術が切に望まれている。
【０００３】
この中で住宅の空調負荷に着目すると、住宅の躯体から逃げる熱（冷房の場合は冷熱）と換気によって逃げる熱がある。住宅の躯体から逃げる熱は、ここ数十年での住宅の断熱、気密性能の大幅な向上により、かなり低減されるようになってきた。一方、換気によって逃げる熱を低減させるには、給気と排気の間で熱交換を行う熱交換型換気機器が有効である。
【０００４】
空調エネルギー低減のニーズは寒冷地で特に大きいが、熱交換型換気機器は外気が低温の場合に熱交換素子内部で霜が発達するために素子の風路が目詰まりするという課題があった。これは室内の暖かい空気が冷たい外気によって冷やされて低温になり、水蒸気が飽和してしまうためである。最も霜が付きやすいのは素子内部の排気風路ＥＡ側である。
【０００５】
このように熱交換素子に付着した霜を取り除くため、霜が付いた場合に室内の空気を機器内部に循環させたり、単に排気のみを行ったり、外気をヒーターで温めてから導入したりする除霜機能が寒冷地向けの熱交換型換気機器には通常搭載されている。しかしこのような除霜機能は換気の連続性や機器の省エネ性を低下させるため、本当に必要な場合でない限り行わない方がよい。
【０００６】
ところで冬期の寒冷地では外気が低温であるため、室内外の温度差が大変大きい。熱交換型換気機器は給気と排気を同時に行う１種換気であるため、機器により発生する室内と室外の差圧は比較的小さく、その結果室内外温度差に起因する自然換気が相当量発生することになる。熱交換型換気機器の換気量を年中一定とすると、室内外の温度差が大きい場合には自然換気量が上乗せされることになり、過換気となってしまう。
【０００７】
上記のように、外気が低温である場合に着霜が起きることと自然換気により過換気になることをあわせて考えると、熱交換型換気機器の省エネ性を向上させられる可能性がある。つまり熱交換素子に多少霜がついて目詰まりを起こしても、自然換気により過換気になる分だけ減らした換気量が確保できていれば、過換気による余分な熱損失もない上、除霜動作を行わなくともよい。
【０００８】
従来の熱交換型換気機器として、自然換気により過換気になる分換気量を低減したものが知られている（例えば、特許文献１参照）。
【０００９】
以下、その熱交換型換気機器について図４を参照しながら説明する。図４は従来の熱交換型換気機器１０１の構成を示す構成図である。
【００１０】
図４に示すように、熱交換型換気機器１０１は給気ファン１０２と、排気ファン１０３と、それらを動かすモーター１０４（図示せず）と、給気吸込み口１０５と、給気吹出し口１０６と、排気吸込み口１０７と、排気吹出し口１０８と、熱交換素子１０９を備え、排気空気と給気空気の間で熱と湿気を交換する。熱交換型換気機器１０１はまた室外温度を検知する室外温度センサー１１０と、室内温度を検知する室内温度センサー１１１と、それらの検出温度を受けてモーター１０４を制御するコントローラー１１２（図示せず）を備え、コントローラー１１２は室内外温度差と気密性能値と自然換気量との関係を示すデータを予め記憶しておき、その時の室内外温度差と入力された気密性能値と前記のデータから自然換気量を算出し、熱交換型換気機器１０１の換気量が必要換気量から自然換気量を減じた換気量となるようにモーター１０４を制御するものである。
【先行技術文献】
【特許文献】
【００１１】
【特許文献１】特開２０１１−７３５４号公報
【発明の概要】
【発明が解決しようとする課題】
【００１２】
このような従来の熱交換型換気機器においては、着霜した場合の除霜動作については特に言及されていない。例えば一般的な除霜動作として、ＥＡ風路内部の温湿度を測定し、温度が氷点下近傍になったり相対湿度が１００％近傍になったりした時点で除霜運転を行うという方法が考えられる。しかしこの方法は素子の内部に霜が付くような状況になると除霜運転をするというものであり、自然換気により過換気になる分だけ減らした換気量が確保できていてもそれに関係なく除霜運転をしてしまい、換気の連続性と機器の省エネ性が低下するという課題を有していた。
【００１３】
そこで本発明は上記従来の課題を解決するものであり、熱交換素子に着霜して、自然換気により過換気になる分だけ減らした換気量が確保できなくなった場合にのみ除霜モードになるので、不必要な除霜動作を行わずに換気の連続性と機器の省エネ性を向上させる熱交換型換気機器を提供することを目的とする。
【課題を解決するための手段】
【００１４】
そしてこの目的を達成するために、本発明は、室外から室内に給気するための給気手段と、室内から室外に排気するための排気手段と、給気空気と排気空気の間で熱を交換するための熱交換素子と、外気の温度を検知する外気温度検知手段と、前記外気温度検知手段の検知結果を受けて前記給気手段と前記排気手段を制御する制御手段を備え、前記制御手段は前記外気温度検知手段が検知した外気温度と室内温度との差に基づいて自然換気量を算出し、必要換気量から自然換気量を減じた換気量となるように前記給気手段と前記排気手段を制御する熱交換型換気機器において、排気風量を検知する排気風量検知手段を備え、前記制御手段は前記排気風量検知手段の検知結果を受けて、排気風量が必要換気量から自然換気量を減じた換気量に満たない場合に除霜のための動作を行う熱交換型換気機器であり、これにより所期の目的を達成するものである。
【発明の効果】
【００１５】
本発明によれば、室外から室内に給気するための給気手段と、室内から室外に排気するための排気手段と、給気空気と排気空気の間で熱を交換するための熱交換素子と、外気の温度を検知する外気温度検知手段と、前記外気温度検知手段の検知結果を受けて前記給気手段と前記排気手段を制御する制御手段を備え、前記制御手段は前記外気温度検知手段が検知した外気温度と室内温度との差に基づいて自然換気量を算出し、必要換気量から自然換気量を減じた換気量となるように前記給気手段と前記排気手段を制御する熱交換型換気機器において、排気風量を検知する排気風量検知手段を備え、前記制御手段は前記排気風量検知手段の検知結果を受けて、排気風量が必要換気量から自然換気量を減じた換気量に満たない場合に除霜のための動作を行うという構成にしたことにより、熱交換素子に着霜して、自然換気により過換気になる分だけ減らした換気量が確保できなくなった場合にのみ除霜モードになるので、不必要な除霜動作を行わずに換気の連続性と機器の省エネ性を向上させるという効果を得ることができる。
【図面の簡単な説明】
【００１６】
【図１】本発明の実施の形態１の熱交換型換気機器の構成を示す構成図
【図２】同熱交換型換気機器の運転方法を示すフロー図
【図３】室内外温度差と自然換気による換気回数との関係を示すグラフ
【図４】従来の熱交換型換気機器の構成を示す構成図
【発明を実施するための形態】
【００１７】
本発明の請求項１記載の熱交換型換気機器は、室外から室内に給気するための給気手段と、室内から室外に排気するための排気手段と、給気空気と排気空気の間で熱を交換するための熱交換素子と、外気の温度を検知する外気温度検知手段と、前記外気温度検知手段の検知結果を受けて前記給気手段と前記排気手段を制御する制御手段を備え、前記制御手段は前記外気温度検知手段が検知した外気温度と室内温度との差に基づいて自然換気量を算出し、必要換気量から自然換気量を減じた換気量となるように前記給気手段と前記排気手段を制御する熱交換型換気機器において、排気風量を検知する排気風量検知手段を備え、前記制御手段は前記排気風量検知手段の検知結果を受けて、排気風量が必要換気量から自然換気量を減じた換気量に満たない場合に除霜のための動作を行うという構成を有する。これにより、熱交換素子に着霜して、自然換気により過換気になる分だけ減らした換気量が確保できなくなった場合にのみ除霜モードになるので、不必要な除霜動作を行わずに換気の連続性と機器の省エネ性を向上させるという効果を奏する。
【００１８】
また、前記室内温度を予め設定した温度とするという構成にしてもよい。これにより、室内温度を検知するための室内温度検知手段が不要になるので、コストを削減できるという効果を奏する。
【００１９】
また、前記制御手段は、除霜のための動作を行った直後に、前記排気風量検知手段が検知した排気風量が必要換気量から自然換気量を減じた換気量に満たない場合、異常を知らせるという構成にしてもよい。これにより、熱交換素子に霜が付くような状況であっても、霜以外の原因で換気量が低下している場合に使用者に異常を知らせることができるという効果を奏する。
【００２０】
また、前記制御手段は、前記外気温度検知手段が検知した外気温度が一定値以上であり、かつ前記排気風量検知手段が検知した排気風量が必要換気量から自然換気量を減じた換気量に満たない場合、異常を知らせるという構成にしてもよい。これにより、夏期や中間期で明らかに霜が付かない外気温度の場合に、霜以外の原因で換気量が低下していることになり、不要な除霜動作を行わずに使用者に異常を知らせることができるので、効率がよく省エネであるという効果を奏する。
【００２１】
また、前記制御手段が算出した自然換気量が必要換気量以上であった場合に、換気を停止するという構成にしてもよい。これにより、無駄な電力を消費せず省エネであるという効果を奏する。
【００２２】
以下、本発明の実施の形態について図面を参照しながら説明する。
【００２３】
（実施の形態１）
本発明の実施の形態１の熱交換型換気機器１について、図１を参照しながら説明する。図１は実施の形態１の熱交換型換気機器１の構成を示す構成図である。
【００２４】
熱交換型換気機器１は給気手段としての給気ファン２と給気吸込み口３と給気吹出し口４と給気ファン２を動かすモーター５（図示せず）を備え、また排気手段としての排気ファン６と排気吸込み口７と排気吹出し口８と排気ファン６を動かすモーター９（図示せず）を備える。給気ファン２と排気ファン６は室内外に圧力差があっても確実に給気または排気できるよう、シロッコファン等の高静圧型のものとする。モーター５とモーター９は回転数を連続的に変えられるＤＣモーターとする。なお、モーター５とモーター９を同一のものとし、１つのモーターで給気ファン２と排気ファン６を同時に動かすようにしてもよい。
【００２５】
また熱交換型換気機器１は、給気空気と排気空気との間で熱を交換するための熱交換素子１０を備える。熱交換素子１０は全熱型とするが、顕熱型であってもよい。寒冷地においては通常顕熱交換素子が用いられることが多いが、凍結による劣化や破損の恐れがない限りにおいては紙や樹脂膜等による全熱交換素子を用いた方が全熱交換効率を高くすることができる。また全熱交換素子は潜熱（湿気）も交換できるため、外気温が低下しても霜が付きにくいという特徴も有している。
【００２６】
また熱交換型換気機器１は、外気温度検知手段としての外気温度センサー１１を給気風路内部の給気吸込み口３付近に備える。外気温度センサー１１は外気が低温になっても比較的精度よく測定できるものとし、例えばＫ型熱電対とする。
【００２７】
また熱交換型換気機器１は、排気風量検知手段としての排気風量センサー１２を排気風路に備える。排気風量センサー１２を排気風路の熱交換素子より下流（室外）側に設置すると結露の可能性があるため、熱交換素子より上流（室内）側に設置した方がよい。排気風量センサー１２は電気式のものとし、例えば熱線式風速計とする。
【００２８】
また熱交換型換気機器１は、制御手段としてのマイクロコンピューター（以下、マイコン）１３を備える。マイコン１３は外気温度センサー１１、排気風量センサー１２と接続され、それらの検知した値を受け取れるようにする。ここでは排気風量センサー１２として風速計を用いているので、マイコン１３は予め風速と風量の関係を記憶しておくものとする。
【００２９】
またマイコン１３はモーター５、モーター９と接続され、それらの回転数を制御できるようにする。マイコン１３は情報を記憶しておくメモリー機能と時間を測るタイマー機能を有するものとする。
【００３０】
また熱交換型換気機器１は、スイッチ１４（図示せず）を備え、運転の開始や停止、所望の運転モード等を使用者が入力できるようにする。スイッチ１４はマイコン１３に有線または無線で接続され、使用者が入力した情報をマイコン１３に伝える。
【００３１】
また熱交換型換気機器１は、ＯＡフィルター１５とＲＡフィルター１６を備え、熱交換型換気機器１内部、特に熱交換素子１０内部にゴミや虫が溜まることを防ぐようにする。
【００３２】
以下、熱交換型換気機器１の運転方法について図２を参照しながら説明する。図２は熱交換型換気機器１の運転方法を示すフロー図である。
【００３３】
はじめに図２のＳ１について説明する。Ｓ１は熱交換型換気機器１の運転を開始するステップである。
【００３４】
使用者がスイッチ１４の操作により運転の開始を指示すると、マイコン１３はその情報を受け取ってモーター５とモーター９を回転させる。これにより熱交換型換気機器１が運転を開始し、建物の換気が始められる。
【００３５】
運転中の換気量については、換気の対象となる建物の部分を０．５［回／ｈ］換気できる換気量とするが、その他に何段階かの運転モードを設けてもよい。例えば１．０［回／ｈ］程度で換気する強モード、０．５［回／ｈ］で換気する通常モード、０．１［回／ｈ］程度で換気する留守モードの３段階の運転モードを設定し、使用者がスイッチ１４の操作によりモードを選択できるようにする。
【００３６】
マイコン１３は予め換気の対象となる建物の部分のおおよその体積（これを換気対象体積と呼ぶことにする）を記憶しておき、上記のようにして指示された換気回数［回／ｈ］と換気対象体積［ｍ3］を掛けたものを必要換気量［ｍ3／ｈ］として記憶しておく。換気対象体積は、機種ごとに換気の対象となる建物の部分の面積が概ね決まっているので、その面積に通常の建物の天井高さ（２．２〜２．４［ｍ］程度）を掛けた値とする。
【００３７】
次に図２のＳ２について説明する。Ｓ２は外気温度を検知するステップである。
【００３８】
マイコン１３は熱交換型換気機器１の運転が開始された後、時間を測定し、一定時間後に外気温度センサー１１によって検知される値を外気温度として記憶しておく。運転開始直後はＯＡダクトや熱交換型換気機器１自身の蓄熱の影響が比較的大きいので、運転を開始してから少なくとも１０分程度経過してからの値を外気温度として記憶するものとする。
【００３９】
次に図２のＳ３について説明する。Ｓ３は室内外温度差を算出するステップである。
【００４０】
マイコン１３は外気温度と室内温度の差の絶対値を求め、室内外温度差として記憶する。室内温度は予め設定した値をマイコン１３に記憶させておくものとする。室内温度は建物の性能や在室者の好みにより異なると考えられるので、スイッチ１４の操作により使用者が設定できるようにする。
【００４１】
室内温度をセンサーにより検知することもできるが、通常人が在室している状態では室内温度が大きく変化することはないので、室内温度を予め設定した値としても自然換気量の算出にさほど大きな影響はない。室内温度を検知するセンサーが不要であれば、その分コストを削減することができる。
【００４２】
但し夏期と冬期では室内温度が大きく異なるので、夏期の室内温度と冬期の室内温度をそれぞれ設定できるようにしてもよい。この場合、外気温度センサー１１が検知した外気温度から、現在が夏期なのか冬期なのかを判断するようにする。
【００４３】
次に図２のＳ４について説明する。Ｓ４は自然換気量を算出するステップである。
【００４４】
マイコン１３は予め室内外温度差と自然換気による換気回数との関係を記憶しておくものとする。この関係として、一例を図３に示す。図３は室内外温度差と自然換気による換気回数との関係を示すグラフである。建物のＣ値が高く気密性が良いほど、同じ室内外温度差に対して自然換気量は小さくなる。このため、室内外温度差と自然換気による換気回数との関係は建物の気密性能に応じて数種類用意した方がよい。図３においてはＣ値が２．０以上の場合と２．０未満の場合の２種類を例示している。建物のＣ値についてはスイッチ１４の操作等により予め選択できるようにしておく。
【００４５】
マイコン１３は外気温度センサー１１が検知した外気温度と予め設定された室内温度から室内外温度差［Ｋ］を算出し、それを予め記憶しておいた室内外温度差と自然換気による換気回数との関係から自然換気による換気回数［回／ｈ］を求め、その換気回数［回／ｈ］と換気対象体積［ｍ3］を掛けた値を自然換気量［ｍ3／ｈ］として記憶しておく。
【００４６】
なお自然換気には建物の室内外温度差による浮力換気と屋外の風による風力換気があり、ここでは浮力換気のみを考慮しているが、屋外に風速計を設置して風力換気を考慮することも可能である。
【００４７】
次に図２のＳ５について説明する。Ｓ５は目標換気量を算出するステップである。
【００４８】
マイコン１３は記憶しておいた必要換気量［ｍ3／ｈ］から自然換気量［ｍ3／ｈ］を引いた値を目標換気量［ｍ3／ｈ］として記憶しておく。目標換気量とは熱交換型換気機器１としてそれだけの換気量を確保できていれば、換気の対象となる建物の部分について必要換気量分の換気がなされているとみなせる換気量のことである。
【００４９】
このとき、自然換気量が必要換気量以上であった場合、つまり自然換気だけで充分な換気量がまかなえている場合は目標換気量を０［ｍ3／ｈ］とし、熱交換型換気機器１による換気を停止するものとする。これにより熱交換型換気機器１は無駄な電力を消費することがなく、省エネである。
【００５０】
次に図２のＳ６について説明する。Ｓ６は換気運転を行うステップである。
【００５１】
マイコン１３は排気風量センサー１２の検知する風量が記憶している目標換気量になるようにモーター５とモーター９の回転数を制御する。勿論目標換気量が０［ｍ3／ｈ］の場合はモーター５とモーター９を停止させることになる。またマイコン１３はＳ２からの経過時間を測定し、一定時間（例えば１時間）が経過した時点でＳ２に戻るものとするが、再びＳ６になるまではそれまでの目標換気量を維持するものとする。
【００５２】
熱交換型換気機器１のように給気と排気を同時に行う１種換気においては、機器により発生する室内と室外の差圧は比較的小さく、その結果室内外温度差に起因する自然換気が相当量発生することになる。熱交換型換気機器１の換気量を年中一定とすると、室内外の温度差が大きい場合には自然換気量が上乗せされることになり過換気となってしまうが、前述したように必要換気量から自然換気量を減じた目標換気量分だけを熱交換型換気機器１が換気することにより、必要以上の換気をしなくてもよいので、熱交換型換気機器１が消費するエネルギーも削減できるし、また建物の空調エネルギーも削減でき、非常に省エネである。
【００５３】
ところで以上のように必要換気量から自然換気量を減じた分だけを熱交換型換気機器１が換気するとなると、冬期の寒冷地のように室内外温度差が大きい場合は自然換気量も大きくなり、目標換気量は熱交換型換気機器１の定格値として定められた換気量よりも相当小さくなる。そのような場合には熱交換素子に多少の霜が付着しても、目標換気量として必要な量が確保できていれば除霜をしてなくても良いと考えられる。
【００５４】
そこでこれ以降、熱交換型換気機器１の除霜やそれに関連する運転方法について再び図２を参照しながら詳細に説明する。
【００５５】
はじめに図２のＳ７について説明する。Ｓ７は排気風量を検査するステップである。
【００５６】
マイコン１３はＳ６の換気運転を実施しながら時間を測定し、定期的（例えば２０分ごと）にＳ７に移行し、排気風量センサー１２の検知する排気風量が目標換気量に対して不足しているかどうかを検査する。不足がない場合は再びＳ６に戻り、換気運転を継続する。一方、排気風量が目標換気量に対して不足している場合、Ｓ８に移行する。
【００５７】
次に、図２のＳ８について説明する。Ｓ８はモーターの回転数を調整するステップである。
【００５８】
マイコン１３は排気風量センサー１２の検知する排気風量が目標換気量に達するようにモーター５とモーター９の回転数を上げる。
【００５９】
次に、図２のＳ９について説明する。Ｓ９は排気風量を検査するステップである。
【００６０】
マイコン１３は再び排気風量センサー１２の検知する排気風量が目標換気量に対して不足しているかどうかを検査する。不足がない場合は再びＳ６に戻り、換気運転を継続する。一方、排気風量が目標換気量に対して不足している場合、つまりモーター５とモーター９の回転数を可能な範囲で上げてもまだ排気風量が足りない場合、Ｓ１０に移行する。
【００６１】
次に、図２のＳ１０について説明する。Ｓ１０は外気温度がある一定値Ｔ1以上であるかどうかを判断するステップである。
【００６２】
モーター５とモーター９の回転数を上げても排気風量が足りない場合、その原因として熱交換素子１０に霜が詰まっていることの他、ＲＡフィルター１６がゴミや粉塵等で目詰まりしていることが考えられる。またモーター５とモーター９を同一のモーターとした場合にはＯＡフィルター１５がゴミや粉塵等で目詰まりしていることも考えられる。
【００６３】
そこでマイコン１３は外気温度センサー１１が検知した外気温度一定値Ｔ1以上であるかどうかを判断し、Ｔ1未満である場合には熱交換素子１０に霜が詰まっている可能性があるのでＳ１１の除霜運転を行い、Ｔ1以上である場合には熱交換素子１０に霜が詰まっている可能性はないのでＯＡフィルター１５またはＲＡフィルター１６が目詰まりしている可能性が高いとして、Ｓ１３の使用者に異常を知らせるステップに移行する。
【００６４】
これにより、夏期や中間期で明らかに霜が付かない外気温度の場合に、霜以外の原因で換気量が低下していることになり、不要な除霜動作を行わずに使用者に異常を知らせることができるので、効率がよく省エネである。
【００６５】
Ｔ1の値としては、熱交換素子に明らかに霜がつかないような温度としなければならない。例えば５℃とすればＥＡの空気も明らかに０℃以上になり、熱交換素子に霜がつく可能性はほとんどないと言える。
【００６６】
次に、図２のＳ１１について説明する。Ｓ１１は除霜運転を行うステップである。
【００６７】
除霜運転にはいくつかの方法があるがいずれの方法でもよく、それぞれの除霜運転が可能となるように熱交換型換気機器１を構成するようにする。ここではマイコン１３が給気ファン２を動かすモーター５を停止させ、排気ファン６を動かすモーター９のみを回転させ、熱交換型換気機器１が一定時間排気のみを行うようにして除霜するものとする。
【００６８】
次に、図２のＳ１２について説明する。Ｓ１２は排気風量を検査するステップである。
【００６９】
マイコン１３は排気風量センサー１２の検知する排気風量が目標換気量に達するようにモーター５とモーター９の回転数を上げ、排気風量が目標換気量に達した場合は再びＳ６に戻り、換気運転を行う。一方、排気風量が目標換気量に達しなかった場合はＯＡフィルター１５またはＲＡフィルター１６が目詰まりしている可能性が高いとして、Ｓ１３の使用者に異常を知らせるステップに移行する。
【００７０】
これにより、熱交換素子１０に霜が付くような状況であっても、霜以外の原因で換気量が低下している場合に使用者に異常を知らせることができる。
【００７１】
最後に、図２のＳ１３について説明する。Ｓ１３は使用者に異常を知らせるステップである。
【００７２】
異常を知らせるにはいくつかの方法があるがいずれの方法でもよく、それぞれの方法が可能となるように熱交換型換気機器１を構成するようにする。ここではスイッチ１４の近傍に異常を知らせるための音を出す報知器１７（図示せず）を備えるものとし、報知器１７はマイコン１３に有線または無線で接続され、Ｓ１３になった場合にマイコン１３が報知器１７に音を出すよう指示するようにする。
【００７３】
Ｓ１３になって使用者に異常を知らせている間、熱交換型換気機器１の換気運転は継続するものとし、排気風量センサー１２の検知する排気風量が目標換気量に達していない場合でもＳ２〜Ｓ６を繰り返すようにする。熱交換型換気機器１の運転が継続されている間は報知器１７による異常の報知も継続するようにし、熱交換型換気機器１の運転が停止された時点で報知器１７による異常の報知も停止し、次に運転が再開された場合は再びＳ１から始まるようにする。
【００７４】
従来の一般的な除霜動作として、ＥＡ風路内部の温湿度を測定し、温度が氷点下近傍になったり相対湿度が１００％近傍になったりした時点で除霜運転を行うという方法があった。しかしこの方法では、素子の内部に霜が付くような状況になると目標換気量が確保できていてもそれに関係なく除霜運転をしてしまい、換気の連続性と機器の省エネ性が低下するという課題があった。
【００７５】
しかし前述したように、熱交換型換気機器１の除霜方法は熱交換素子１０に多少霜がついて目詰まりを起こしても目標換気量が確保できていれば除霜を行わず、目標換気量が確保できなくなった場合にのみ除霜を行うというものであり、不必要な除霜動作を行わずに換気の連続性と機器の省エネ性を向上させることができる。
【産業上の利用可能性】
【００７６】
本発明にかかる熱交換型換気機器は、不必要な除霜動作を行わずに換気の連続性と機器の省エネ性を向上させることができるものであるので、住宅やオフィス等の建物で使用される熱交換型換気機器等として有用である。
【符号の説明】
【００７７】
１    熱交換型換気機器
２    給気ファン
３    給気吸込み口
４    給気吹出し口
５    モーター
６    排気ファン
７    排気吸込み口
８    排気吹出し口
９    モーター
１０  熱交換素子
１１  外気温度センサー
１２  排気風量センサー
１３  マイコン
１４  スイッチ
１５  ＯＡフィルター
１６  ＲＡフィルター
１７  報知器
【図１】
2013185714.tif 000003
【図２】
2013185714.tif 000004
【図３】
2013185714.tif 000005
【図４】
2013185714.tif 000006